(57)【要約】【課題】  ＨＤＤ等から再生されたＴＳをフロー制御にて再生する場合にも、デコードされたビデオ表示と、時刻指定のない汎用イベントメッセージの発火タイミングとがずれることのないテレビジョン受信装置を提供する【解決手段】  ＣＰＵ２４７２は、時刻指定のない汎用イベントメッセージの取得時に、デマルチプレクサ２４７２から入力されたストリームのＰＣＲと、ビデオデコーダ２４７６から入力されたＳＴＣとの差分を計算し、ストリームの読み出し位置とデコード位置のずれ時間（ずれ時間＝ＰＣＲ−ＳＴＣ）を求め、この時間だけ汎用イベントメッセージの発火タイミングを遅延させる。またはＣＰＵ２４７２は、セッション取得用バッファ２４７５から入力された、処理を行う汎用イベントメッセージの近傍にあるＰＣＲをイベント発生時刻として保持し、（ビデオデコーダ２４７６のＳＴＣ＞＝イベント発生時刻となったら汎用イベントメッセージを発火する。【選択図】      図３
2006311390.tif 000002
【特許請求の範囲】
【請求項１】
データ放送による汎用イベントメッセージおよびＰＣＲ（Program Clock Reference）
を含んだトランスポートストリームを記録媒体から再生する再生手段と、
前記再生手段により再生されたトランスポートストリームを分離するデマルチプレクサ
と、
前記デマルチプレクサにより分離されたビデオデータをフロー制御にてデコードするビ
デオデコーダと、
前記デマルチプレクサにより分離されたオーディオデータをフロー制御にてデコードす
るオーディオデコーダと、
前記デマルチプレクサにより分離された汎用イベントメッセージを受信する手段と、
前記デマルチプレクサにより分離された汎用イベントメッセージを発火する汎用イベン
トメッセージ発火手段と、
前記デマルチプレクサにより分離されたＰＣＲを参照しながら生成されるクロックであ
るＳＴＣと、
前記デマルチプレクサにより分離されたＰＣＲと、前記ＳＴＣとの差分時間を計算し、
この差分時間に基づき、前記ビデオデコーダのデコードタイミングと前記汎用イベントメ
ッセージ発火手段の発火タイミングとのずれが小さくなる方向に、前記汎用イベントメッ
セージ発火手段の発火タイミングをずらす手段とを備えたことを特徴とするテレビジョン
受信装置。
【請求項２】
前記所定の時間は、前記差分時間と等しいことを特徴とする請求項１に記載のテレビジ
ョン受信装置。
【請求項３】
データ放送による汎用イベントメッセージおよびＰＣＲ（Program Clock Reference）
を含んだトランスポートストリームを記録媒体から再生する再生手段と、
前記再生手段により再生されたトランスポートストリームを分離するデマルチプレクサ
と、
前記デマルチプレクサにより分離されたビデオデータをフロー制御にてデコードするビ
デオデコーダと、
前記デマルチプレクサにより分離されたオーディオデータをフロー制御にてデコードす
るオーディオデコーダと、
前記デマルチプレクサにより分離された汎用イベントメッセージを受信する手段と、
前記デマルチプレクサにより分離された汎用イベントメッセージを発火する汎用イベン
トメッセージ発火手段と、
前記デマルチプレクサにより分離されたＰＣＲを参照しながら生成されるクロックであ
るＳＴＣと、
前記デマルチプレクサにより分離され、前記汎用イベントメッセージの直前に入力され
たＰＣＲを保持するＰＣＲ保持手段と、
前記ＰＣＲ保持手段により保持されたＰＣＲをイベント発生時刻として前記汎用イベン
トメッセージ発火手段による発火タイミングとするよう制御する制御手段とを備えたこと
を特徴とするテレビジョン受信装置。
【請求項４】
前記ビデオデコーダによるビデオ画像と、前記汎用イベントメッセージ発火手段により
発火された汎用イベントメッセージとを合成する合成手段とを備えたことを特徴とする請
求項１乃至３のいずれか１項に記載のテレビジョン受信装置。
【発明の詳細な説明】
【技術分野】
【０００１】
この発明は、テレビジョン受信装置に関し、特にトランスポート・ストリーム（以下、
ＴＳと記す）が、放送で送信された以上の速度でＨＤＤ等から送信されたものを受信する
テレビジョン受信装置に関する。
【背景技術】
【０００２】
日本国内では衛星ＢＳデジタル放送、地上デジタル放送を受信、再生する機能を持った
液晶、プラズマ等の薄型デジタルＴＶや、アナログ放送番組を受信し、内蔵したＨＤＤに
デジタル記録するＨＤＤ−ＤＶＤレコーダなどが急速に家庭内に普及しつつある。
【０００３】
これらのデジタル家電機器の中にはネットワーク接続機能を持つ機器も多く、今後は例
えばデジタルＴＶのようなコンテンツ表示装置がクライアント機器として動作し、別の部
屋にあるサーバー機能を持つＨＤＤ−ＤＶＤレコーダに保存されたコンテンツに家庭内ネ
ットワークを介してアクセスすることで、コンテンツが物理的に存在する場所に移動する
ことなくコンテンツを楽しむことが簡単にできるようになると思われる。
【０００４】
デジタル放送のデータ放送では、従来のテレビジョン放送信号にデータを多重するデー
タ多重放送とは異なり、文字や図形だけでなく、静止画、動画、音声など多彩な表現が可能である。データ放送では、視聴中のデジタル放送と一体となった画面上に各種の情報を引き出して見ることが可能である。
【０００５】
このようなデジタル放送におけるデータ放送においては、イベントメッセージを運用す
ることが行われる。イベントメッセージを運用する目的は、非同期にあるいは時刻を指定
してマルチメディアコンテンツに割り込み事象を発生させ、同時にその事象に付随するデ
ータを伝送するために、汎用イベントメッセージ記述子を含むイベントメッセージ（汎用
イベントメッセージと呼ぶ）を運用したり、汎用イベントメッセージにおける時刻指定と
してＮＰＴ（Normal Play Time）を使用する場合、あるいはマルチメディアコンテンツに
おいてＮＰＴを使用する場合に、ＮＰＴとＳＴＣ（System Time Clockの略で、基準とな
る同期信号の意）との関係づけを受信機に知らせるためにＮＰＴ参照記述子を含むイベン
トメッセージ（以下、ＮＰＴ参照メッセージと呼ぶ）を運用する。
【０００６】
以上のデジタル放送におけるデータ放送の標準規格及び運用規定は、社団法人電波産業
会（Association of Radio Industries and Business、以下ＡＲＩＢという）で策定して
いる標準規格及び運用規定、ＡＲＩＢ  ＳＴＤ−Ｂ２４（デジタル放送におけるデータ放
送符号化方式と伝送方式標準規格）、及びＡＲＩＢＴＲ−Ｂ１５（ＢＳデジタル放送運用
規定）等で、明文化されている。
【０００７】
放送のリアルタイム処理では、デコーダのバッファに蓄積される量が少ない（バッファ
サイズに依存しない）ため、デマルチプレクサがセクションを取得する位置と、ビデオを
デコードする位置に大きな差が出ない。
【０００８】
しかし、トランスポート・ストリーム（以下、ＴＳと記す）が、放送で送信された以上
の速度でＨＤＤ等から送信されたものである場合にはデマルチプレクサがセクションを取
得する位置と、ビデオをデコードする位置とに大きな差が出る場合がある。例えば、フロ
ー制御にて再生する場合、デコーダのバッファに空きがある限りストリームを読み出す。
【０００９】
このためフロー制御にて再生する場合、テレビジョン受信装置では、ビデオデコーダに
は通常の放送受信時よりも多くのデータがバッファリングされる。
このため放送をリアルタイムに処理する場合とフロー制御にて再生する場合とで、イベ
ントメッセージの取得タイミングにずれが発生する。しかし、ＮＰＴイベントメッセージ
の発火（実際にイベントを表示）タイミングは、ＳＴＣに基づいて処理が行われるため、
イベントメッセージの取得タイミングにずれが発生しても問題ない。しかし、時刻指定の
ない汎用イベントメッセージの場合、イベントメッセージ取得時に即時発火するため、イ
ベントメッセージの発火タイミングがずれてしまう。
【００１０】
ＮＰＴイベントメッセージのような時刻指定のあるイベントをＳＴＣに基づいて処理す
る方法は、特許文献１等に記述されている。
【特許文献１】特開２００３−９０９５公報
【発明の開示】
【発明が解決しようとする課題】
【００１１】
上記の如く、ＨＤＤ等に一旦蓄積されたデジタル放送のトランスポートストリームをフ
ロー制御にて再生する場合、デコードされたビデオ表示と、時刻指定のない汎用イベント
メッセージの発火タイミングとがずれる（合わない）という問題がある。
【００１２】
フロー制御再生では、例えばビデオデコーダのバッファサイズが２Ｍバイト、ストリー
ムのレートが４Ｍｂｐｓの場合、４秒相当のストリームをＨＤＤから読み出してデコーダ
のバッファに蓄積することになる。この場合、デコーダがビデオをデコードしている位置
から４秒先のセクションにて送られたイベントメッセージをデマルチプレクサにて取得で
きてしまう。このため、通常であれば４秒差の表示ずれが発生してしまい、いくら時刻指
定のない汎用イベントメッセージであってもこの表示ずれは無視できない。
【００１３】
そこで本発明は上記の問題を解決するためになされたものであり、ＨＤＤ等に一旦蓄積
されたデジタル放送のトランスポートストリームをフロー制御にて再生する場合であって
も、デコードされたビデオ表示と、時刻指定のない汎用イベントメッセージの発火タイミ
ングとがずれる（合わない）ことのないテレビジョン受信装置を提供することを目的する
。
【課題を解決するための手段】
【００１４】
上記の目的を達成するために、この発明のテレビジョン受信装置においては、データ放
送による汎用イベントメッセージおよびＰＣＲ（Program Clock Reference）を含んだト
ランスポートストリームを記録媒体から再生する再生手段と、前記再生手段により再生さ
れたトランスポートストリームを分離するデマルチプレクサと、前記デマルチプレクサに
より分離されたビデオデータをフロー制御にてデコードするビデオデコーダと、前記デマ
ルチプレクサにより分離されたオーディオデータをフロー制御にてデコードするオーディ
オデコーダと、前記デマルチプレクサにより分離された汎用イベントメッセージを受信す
る手段と、前記デマルチプレクサにより分離された汎用イベントメッセージを発火する汎
用イベントメッセージ発火手段と、前記デマルチプレクサにより分離されたＰＣＲを参照
しながら生成されるクロックであるＳＴＣと、前記デマルチプレクサにより分離されたＰ
ＣＲと、前記ＳＴＣとの差分時間を計算し、この差分時間に基づき、前記ビデオデコーダ
のデコードタイミングと前記汎用イベントメッセージ発火手段の発火タイミングとのずれ
が小さくなる方向に、前記汎用イベントメッセージ発火手段の発火タイミングをずらす手
段とを備えたことを特徴とする。
【００１５】
また、上記の目的を達成するために、この発明のテレビジョン受信装置においては、デ
ータ放送による汎用イベントメッセージおよびＰＣＲ（Program Clock Reference）を含
んだトランスポートストリームを記録媒体から再生する再生手段と、前記再生手段により
再生されたトランスポートストリームを分離するデマルチプレクサと、前記デマルチプレ
クサにより分離されたビデオデータをフロー制御にてデコードするビデオデコーダと、前
記デマルチプレクサにより分離されたオーディオデータをフロー制御にてデコードするオ
ーディオデコーダと、前記デマルチプレクサにより分離された汎用イベントメッセージを
受信する手段と、前記デマルチプレクサにより分離された汎用イベントメッセージを発火
する汎用イベントメッセージ発火手段と、前記デマルチプレクサにより分離されたＰＣＲ
を参照しながら生成されるクロックであるＳＴＣと、前記デマルチプレクサにより分離さ
れ、前記汎用イベントメッセージの直前に入力されたＰＣＲを保持するＰＣＲ保持手段と
、前記ＰＣＲ保持手段により保持されたＰＣＲをイベント発生時刻として前記汎用イベン
トメッセージ発火手段による発火タイミングとするよう制御する制御手段とを備えたこと
を特徴とする。
【００１６】
なお、装置に係る本発明は方法に係る発明としても成立し、方法に係る本発明は装置に
係る発明としても成立する。
また、装置または方法に係る本発明は、コンピュータに当該発明に相当する手順を実行
させるための（あるいはコンピュータを当該発明に相当する手段として機能させるための
、あるいはコンピュータに当該発明に相当する機能を実現させるための）プログラムとし
ても成立し、該プログラムを記録したコンピュータ読み取り可能な記録媒体としても成立
する。
【発明の効果】
【００１７】
この発明によれば、ＨＤＤ等に一旦蓄積されたデジタル放送のトランスポートストリー
ムをフロー制御にて再生する場合であっても、デコードされたビデオ表示と、時刻指定の
ない汎用イベントメッセージの発火タイミングとがずれる（合わない）ことのないテレビ
ジョン受信装置を提供することができる。
【発明を実施するための最良の形態】
【００１８】
以下、この発明の実施形態について図面を参照して詳細に説明する。
図１は、この発明の実施形態で説明する、アクセス制御装置およびアクセス制御方法を
適用したデジタルテレビジョン放送受信装置１１１の外観と、このデジタルテレビジョン
放送受信装置１１１を中心として構成されるネットワークシステムの一例を概略的に示し
ている。
【００１９】
すなわち、デジタルテレビジョン放送受信装置１１１は、主として、薄型のキャビネッ
ト１１２と、このキャビネット１１２を起立させて支持する支持台１１３とから構成され
ている。そして、キャビネット１１２には、例えばＳＥＤ（Surface-conduction Electro
n-emitter Display）表示パネル，液晶表示パネル等でなる平面パネル型の映像表示器１
１４、スピーカ１１５、操作部１１６、リモートコントローラ１１７から送信される操作
情報を受ける受光部１１８等が設置されている。
【００２０】
また、このデジタルテレビジョン放送受信装置１１１には、例えばＳＤ（Secure Digit
al）メモリカード、ＭＭＣ（Multimedia Card）及びメモリスティック等の第１のメモリ
カード１１９が着脱可能となっており、この第１のメモリカード１１９に対して番組や写
真等の情報の記録再生が行なわれるようになっている。
【００２１】
さらに、このデジタルテレビジョン放送受信装置１１１には、例えば契約情報等の記録
された第２のメモリカード（ＩＣカード）１２０が着脱可能となっており、この第２のメ
モリカード１２０に対して情報の記録再生が行なわれるようになっている。
【００２２】
また、このデジタルテレビジョン放送受信装置１１１は、第１のＬＡＮ（Local Area N
etwork）端子１２１、第２のＬＡＮ端子１２２、ＵＳＢ（Universal Serial Bus）端子１
２３及びｉ．ＬＩＮＫ端子１２４を備えている。
【００２３】
このうち、第１のＬＡＮ端子１２１は、ＬＡＮ対応ＨＤＤ専用ポートとして使用される
もので、接続されたＮＡＳ（Network Attached Storage）であるＬＡＮ対応のＨＤＤ１２
５に対して、イーサネット（登録商標）により情報の記録再生を行なうために使用される
。
【００２４】
このように、ＬＡＮ対応ＨＤＤ専用ポートとしての第１のＬＡＮ端子１２１を設けるこ
とにより、他のネットワーク環境やネットワーク使用状況等に影響されることなく、ＨＤ
Ｄ１２５に対してハイビジョン画質による番組の情報記録を安定して行なうことができる
。
【００２５】
また、第２のＬＡＮ端子１２２は、イーサネット（登録商標）を用いた一般的なＬＡＮ
対応ポートとして使用されるもので、例えばハブ１２６を介して、ＬＡＮ対応のＨＤＤ１
２７、ＰＣ（Personal Computer）１２８、ＨＤＤ内蔵のＤＶＤ（Digital Versatile Dis
k）レコーダ１２９等の機器を接続し、これらの機器と情報伝送を行なうために使用され
る。
【００２６】
なお、ＤＶＤレコーダ１２９については、第２のＬＡＮ端子１２２を介して通信される
デジタル情報が制御系のみの情報であるため、デジタルテレビジョン放送受信装置１１１
との間でアナログの映像及び音声情報を伝送するために、専用のアナログ伝送路１３０を
設ける必要がある。
【００２７】
さらに、この第２のＬＡＮ端子１２２は、ハブ１２６に接続されたブロードバンドルー
タ１３１を介して、例えばインターネット等のネットワーク１３２に接続し、このネット
ワーク１３２を介してＰＣ１３３や携帯電話１３４等と情報伝送を行なうために使用され
る。
【００２８】
また、上記ＵＳＢ端子１２３は、一般的なＵＳＢ対応ポートとして使用されるもので、
例えばハブ１３５を介して、携帯電話１３６、デジタルカメラ１３７、メモリカードに対
するカードリーダ／ライタ１３８、ＨＤＤ１３９、キーボード１４０等のＵＳＢ機器を接
続し、これらのＵＳＢ機器と情報伝送を行なうために使用される。
【００２９】
さらに、上記ｉ．ＬＩＮＫ端子１２４は、例えばＡＶ−ＨＤＤ１４１、Ｄ（Digital）
−ＶＨＳ（Video Home System）１４２等をシリアル接続し、これらの機器と情報伝送を
行なうために使用される。
【００３０】
図２は、上記したデジタルテレビジョン放送受信装置１１１の主要な信号処理系を示し
ている。すなわち、ＢＳ／ＣＳデジタル放送受信用のアンテナ２４３で受信した衛星デジ
タルテレビジョン放送信号は、入力端子２４４を介して衛星デジタル放送用のチューナ２
４５に供給されることにより、所望のチャンネルの放送信号が選局される。
【００３１】
そして、このチューナ２４５で選局された放送信号は、ＰＳＫ（Phase Shift Keying）
復調器２４６に供給されて、デジタルの映像信号及び音声信号に復調された後、信号処理
部２４７に出力される。
【００３２】
また、地上波放送受信用のアンテナ２４８で受信した地上デジタルテレビジョン放送信
号は、入力端子２４９を介して地上デジタル放送用のチューナ２５０に供給されることに
より、所望のチャンネルの放送信号が選局される。
【００３３】
そして、このチューナ２５０で選局された放送信号は、例えば日本ではＯＦＤＭ（Orth
ogonal Frequency Division Multiplexing）復調器２５１に供給されて、デジタルの映像
信号及び音声信号に復調された後、上記信号処理部２４７に出力される。
【００３４】
また、上記地上波放送受信用のアンテナ２４８で受信した地上アナログテレビジョン放
送信号は、入力端子２４９を介して地上アナログ放送用のチューナ２５２に供給されるこ
とにより、所望のチャンネルの放送信号が選局される。そして、このチューナ２５２で選
局された放送信号は、アナログ復調器２５３に供給されてアナログの映像信号及び音声信
号に復調された後、上記信号処理部２４７に出力される。
【００３５】
ここで、上記信号処理部２４７は、ＰＳＫ復調器２４６及びＯＦＤＭ復調器２５１から
それぞれ供給されたデジタルの映像信号及び音声信号に対して、選択的に所定のデジタル
信号処理を施し、グラフィック処理部２５４及び音声処理部２５５に出力している。
【００３６】
また、上記信号処理部２４７には、複数（図示の場合は４つ）の入力端子２５６ａ，２
５６ｂ，２５６ｃ，２５６ｄが接続されている。これら入力端子２５６ａ〜２５６ｄは、
それぞれ、アナログの映像信号及び音声信号を、デジタルテレビジョン放送受信装置１１
１の外部から入力可能とするものである。
【００３７】
信号処理部２４７は、上記アナログ復調器２５３及び各入力端子２５６ａ〜２５６ｄか
らそれぞれ供給されたアナログの映像信号及び音声信号を選択的にデジタル化し、このデ
ジタル化された映像信号及び音声信号に対して所定のデジタル信号処理を施した後、グラ
フィック処理部２５４及び音声処理部２５５に出力する。
【００３８】
グラフィック処理部２５４は、信号処理部２４７から供給されるデジタルの映像信号に
、ＯＳＤ（On Screen Display）信号生成部２５７で生成されるＯＳＤ信号を重畳して出
力する機能を有する。このグラフィック処理部２５４は、信号処理部２４７の出力映像信
号と、ＯＳＤ信号生成部２５７の出力ＯＳＤ信号とを選択的に出力すること、また、両出
力をそれぞれ画面の半分を構成するように組み合わせて出力することができる。
【００３９】
グラフィック処理部２５４から出力されたデジタルの映像信号は、映像処理部２５８に
供給される。この映像処理部２５８は、入力されたデジタルの映像信号を、前記映像表示
器１１４で表示可能なフォーマットのアナログ映像信号に変換した後、映像表示器１１４
に出力して映像表示させるとともに、出力端子２５９を介して外部に導出させる。
【００４０】
また、上記音声処理部２５５は、入力されたデジタルの音声信号を、前記スピーカ１１
５で再生可能なフォーマットのアナログ音声信号に変換した後、スピーカ１１５に出力し
て音声再生させるとともに、出力端子２６０を介して外部に導出させる。
【００４１】
ここで、このデジタルテレビジョン放送受信装置１１１は、上記した各種の受信動作を
含むその全ての動作を制御部２６１によって統括的に制御されている。この制御部２６１
は、ＣＰＵ（Central Processing Unit）等を内蔵しており、前記操作部１１６からの操
作情報を受け、または、リモートコントローラ１１７から送出された操作情報を前記受光
部１１８を介して受信し、その操作内容が反映されるように各部をそれぞれ制御している
。
【００４２】
この場合、制御部２６１は、主として、そのＣＰＵが実行する制御プログラムを格納し
たＲＯＭ（Read Only Memory）２６１ａと、該ＣＰＵに作業エリアを提供するＲＡＭ（Ra
ndom Access Memory）２６１ｂと、各種の設定情報及び制御情報等が格納される不揮発性
メモリ２６１ｃとを利用している。
【００４３】
また、この制御部２６１は、カードＩ／Ｆ（Interface）２６５を介して、前記第１の
メモリカード１１９が装着可能なカードホルダ２６６に接続されている。これによって、
制御部２６１は、カードホルダ２６６に装着された第１のメモリカード１１９と、カード
Ｉ／Ｆ２６５を介して情報伝送を行なうことができる。
【００４４】
さらに、上記制御部２６１は、カードＩ／Ｆ２６７を介して、前記第２のメモリカード
１２０が装着可能なカードホルダ２６８に接続されている。これにより、制御部２６１は
、カードホルダ２６８に装着された第２のメモリカード１２０と、カードＩ／Ｆ２６７を
介して情報伝送を行なうことができる。
【００４５】
また、上記制御部２６１は、通信Ｉ／Ｆ２６９を介して第１のＬＡＮ端子１２１に接続
されている。これにより、制御部２６１は、第１のＬＡＮ端子１２１に接続されたＬＡＮ
対応のＨＤＤ１２５と、通信Ｉ／Ｆ２６９を介して情報伝送を行なうことができる。この
場合、制御部２６１は、ＤＨＣＰ（Dynamic Host Configuration Protocol）サーバ機能
を有し、第１のＬＡＮ端子１２１に接続されたＬＡＮ対応のＨＤＤ１２５にＩＰ（Intern
et Protocol）アドレスを割り当てて制御している。
【００４６】
さらに、上記制御部２６１は、通信Ｉ／Ｆ２７０を介して第２のＬＡＮ端子１２２に接
続されている。これにより、制御部２６１は、第２のＬＡＮ端子１２２に接続された各機
器（図１参照）と、通信Ｉ／Ｆ２７０を介して情報伝送を行なうことができる。
【００４７】
また、上記制御部２６１は、ＵＳＢ  Ｉ／Ｆ２７１を介して前記ＵＳＢ端子１２３に接
続されている。これにより、制御部２６１は、ＵＳＢ端子１２３に接続された各機器（図
１参照）と、ＵＳＢ  Ｉ／Ｆ２７１を介して情報伝送を行なうことができる。
【００４８】
さらに、上記制御部２６１は、ｉ．ＬＩＮＫ  Ｉ／Ｆ２７２を介してｉ．ＬＩＮＫ端子
１２４に接続されている。これにより、制御部２６１は、ｉ．ＬＩＮＫ端子１２４に接続
された各機器（図１参照）と、ｉ．ＬＩＮＫ  Ｉ／Ｆ２７２を介して情報伝送を行なうこ
とができる。
【００４９】
ところで、この第１の実施形態では、ＨＤＤ１２５に初期登録時のＨＤＤ１２５、ＨＤ
Ｄ１２７、ＰＣ１２８、ＤＶＤレコーダ１２９それぞれに割り当てられたストレージＩＤ
（ＩＰアドレス、機器名を含む）を記述した登録ファイルを記憶保持している。
【００５０】
また、不揮発性メモリ２６１ｃに、ＨＤＤ１２５、ＨＤＤ１２７、ＰＣ１２８、ＤＶＤ
レコーダ１２９それぞれのストレージＩＤを記憶している。
以下、ＨＤＤ１２７には、放送により送られたＴＳが蓄積されており、これをデジタル
テレビジョン放送受信装置１１１でフロー制御にて再生するものとして説明する。このフ
ロー制御にて再生する場合、先にも説明したが、デコーダのバッファに空きがある限りス
トリームを読み出す。
【００５１】
フロー制御再生では、フロー制御再生デコーダのバッファに空きがある限りストリーム
を読み出す。このため、デマルチプレクサ２４７２がセクションを取得する位置と、ビデ
オデコーダ２４７６が実際にビデオデータをデコードする位置とに、図４に示すように大
きな差（例えば、４秒）が出る。本発明では、この問題を後述する方法により解決してい
る。
【００５２】
次に、データ放送を処理するときの信号処理について図３を用いて詳細に説明する。
図３は、データ放送を受信して処理するときの信号処理部２４７の構成のみを抽出して
作成した機能ブロック図である。
図３において、制御部２６１は、ＨＤＤ１２７に蓄積されたＴＳを再生させ、セレクタ
２４７１へ供給させる。このようにＨＤＤ１２７に一旦蓄積されたデジタル放送のトラン
スポートストリームをフロー制御にて再生する。
【００５３】
セレクタ２４７１は、ＨＤＤ１２７から放送で送信された以上の速度で再生されたＴＳ
（ＰＣＲを含むＴＳ）を制御部２６１からの制御信号により選択し、デマルチプレクサ２
４７２へ供給する。
【００５４】
デマルチプレクサ２４７２は、ビデオデータはビデオデコーダ２４７６へ、オーディオ
データはオーディオデコーダ２４７３へ、ＰＣＲはＳＴＣカウンタ２４７８へ供給する。
【００５５】
ビデオデコーダ２４７６は、ビデオバッファ２４７６ａにデコードする前のデータを一
旦蓄積し、デコードしたビデオデータをデータ放送ブラウザ２４７７へ出力する。
【００５６】
ＳＴＣカウンタ２４７８は、ＳＴＣをビデオデコーダ２４７６，オーディオデコーダ２
４７３およびＣＰＵ２４７４へ出力する。
オーディオデコーダ２４７３は、オーディオバッファ２４７３ａにデコードする前のデ
ータを一旦蓄積し、デコードした音声データを音声処理部２５５へ出力する。
また、デマルチプレクサ２４７２は、ＰＡＴ（Program Association Table：放送番組
関連テーブル），ＰＭＴ（Program Map Table：放送番組マップテーブル）、ＥＰＧ（Ele
ctronic Program Guide：電子番組ガイド）、データ放送のデータ等のセクション形式の
データは、セクション取得用バッファ２４７５へ供給する。
【００５７】
セクション取得用バッファ２４７５は、デマルチプレクサ２４７４から供給されたデー
タを一旦蓄積し、ＴＳパケットによって分割されていたセクションが完成次第、ＣＰＵ２
４７４へ出力する。
【００５８】
また、デマルチプレクサ２４７２は、ＰＣＲ（Program Clock Reference）を、ＣＰＵ
２４７４へ出力する。
ＣＰＵ２４７４は、図示しないＲＯＭ等から読み出したプログラムを実行することでデ
ータ処理を実行するものであり、セクション取得用バッファ２４７５から供給されたセク
ションータを解析し、データ放送に必要なデータがあれば、データ放送ブラウザ２４７７
へ出力する。
【００５９】
データ放送ブラウザ２４７７は、ＣＰＵ２４７４から入力されたデータ（文字や画像等
）とビデオデコーダ２４７６から入力された映像を結合し、グラフィック制御部２５４に
出力する。
【００６０】
ＣＰＵ２４７４は、ビデオデコーダ２４７６から入力されたＳＴＣと、デマルチプレク
サ２４７２から入力されたＰＣＲとを用いて、データ放送の汎用イベントメッセージの発
火タイミングを、以下のように調整することによりデコードされたビデオ表示と汎用イベ
ントメッセージの発火タイミングのずれを減少させることができる。
【００６１】
（第１の解決方法）
（ステップ１）
ＣＰＵ２４７２は、時刻指定のない汎用イベントメッセージの取得時に、デマルチプレ
クサ２４７２から入力されたストリームのＰＣＲと、ビデオデコーダ２４７６から入力さ
れたＳＴＣとの差分を計算し、ストリームの読み出し位置とデコード位置のずれ時間を求
める。
【００６２】
ずれ時間［ミリ秒］  ＝  ＰＣＲ  −  ＳＴＣ    …（式１）
（ステップ２）
ＣＰＵ２４７２は、汎用イベントメッセージの発火タイミングを上記ステップ１の式１
にて求めたずれ時間だけ遅延させる。
また、正確にずれ時間に合わせず、例えばずれ時間＋０．５秒，−０．５秒等、ずれ時
間近傍にずらしても良い。
以上によれば、ＨＤＤ等に一旦蓄積されたデジタル放送のトランスポートストリームを
フロー制御にて再生する場合であっても、デコードされたビデオ表示と、時刻指定のない
汎用イベントメッセージの発火タイミングとがずれる（合わない）ことのないテレビジョ
ン受信装置を提供することができる。
【００６３】
（第２の解決方法）
（ステップ１）
ＣＰＵ２４７２は、セッション取得用バッファ２４７５から入力された、処理を行う汎
用イベントメッセージの近傍にあるＰＣＲ、例えば汎用イベントメッセージが入力される
直前のＰＣＲをイベント発生時刻ＲＥＦ＿ＴＩＭＥ’としてレジスタ等に保持する。
【００６４】
（ステップ２）
ＣＰＵ２４７２は、
ビデオデコーダ２４７６のＳＴＣ  ＞＝  イベント発生時刻ＲＥＦ＿ＴＩＭＥ’（上記
ＰＣＲ）    …（式２）
となったら汎用イベントメッセージを発火する。
以上によれば、ＨＤＤ等に一旦蓄積されたデジタル放送のトランスポートストリームを
フロー制御にて再生する場合であっても、デコードされたビデオ表示と、時刻指定のない
汎用イベントメッセージの発火タイミングとがずれる（合わない）ことのないテレビジョ
ン受信装置を提供することができる。
【図面の簡単な説明】
【００６５】
【図１】本発明のテレビジョン受信装置の外観と、このテレビジョン受信装置を中心として構成されるネットワークシステムを説明するための図。
【図２】テレビジョン受信装置の主要な信号処理系を示す図。
【図３】テレビジョン受信装置内の信号処理部の、一例を示す図。
【図４】ずれ時間を説明するための図。
【符号の説明】
【００６６】
１１１…デジタルテレビジョン放送受信装置、１１２…キャビネット、１１３…支持台
、１１４…映像表示器、１１５…スピーカ、１１６…操作部、１１７…リモートコントロ
ーラ、１１８…受光部、１１９…第１のメモリカード、１２０…第２のメモリカード、１
２１…第１のＬＡＮ端子、１２２…第２のＬＡＮ端子、１２３…ＵＳＢ端子、１２４…ｉ
．ＬＩＮＫ端子、１２５，１２７，１３９…ＨＤＤ、１２６，１３５…ハブ、１２８…Ｐ
Ｃ、１２９…ＤＶＤレコーダ、１３０…アナログ伝送路、１３１…ブロードバンドルータ
、１３２…ネットワーク、１３３…ＰＣ、１３４，１３６…携帯電話、１３７…デジタル
カメラ、１３８…カードリーダ／ライタ、１４０…キーボード、１４１…ＡＶ−ＨＤＤ、
１４２…Ｄ−ＶＨＳ、２４３…アンテナ、２４４…入力端子、２４５，２５０，２５２…
チューナ、２４６…ＰＳＫ復調器、２４７…信号処理部、２４８…アンテナ、２５１…Ｏ
ＦＤＭ復調器、２５３…アナログ復調器、２５４…グラフィック処理部、２５５…音声処
理部、２４９，２５６ａ，２５６ｂ，２５６ｃ，２５６ｄ…入力端子、２５７…ＯＳＤ信
号生成部、２５８…映像処理部、２５９，２６０…出力端子、２６１…制御部、２６１ａ
…ＲＯＭ、２６１ｂ…ＲＡＭ、２６１ｃ…不揮発性メモリ、２６５，２６７…カードＩ／
Ｆ、２６６，２６８…カードホルダ、２６９，２７０…通信Ｉ／Ｆ、２７１…ＵＳＢ  Ｉ
／Ｆ、２７２…ｉ．ＬＩＮＫ  Ｉ／Ｆ、２４７１…セレクタ、２４７２…デマルチプレク
サ、２４７３…オーディオデコーダ、２４７３ａ…オーディオバッファ、２４７４…ＣＰ
Ｕ、２４７５…セクション取得用バッファ、２４７６…ビデオデコーダ、２４７６ａ…ビ
デオバッファ、２４７７…データ放送ブラウザ、２４７８…ＳＴＣカウンタ。
【図１】
2006311390.tif 000003
【図２】
2006311390.tif 000004
【図３】
2006311390.tif 000005
【図４】
2006311390.tif 000006